(57)【要約】      （修正有）【課題】在宅で透析を行う場合に、患者や介助者の補助としての役割を果たすことができる血液回路の保持具を提供する。【解決手段】血液透析装置の血液回路の保持具であって、血液回路を保持する保持部２、及び該保持具を他の箇所へ固定するための固定部１からなる血液回路の保持具である。クリップからなる固定部１の片側部分の外側の面１ａに、保持部２を取り付けた。保持部は血液チューブを挟持して保持するためのコイル状金具２ｂの両端を円形金具２ａに固定して作成した。【選択図】図１
2005218605.tif 000002
【特許請求の範囲】
【請求項１】
血液透析用の輸血管あるいは穿刺針を固定する固定具であって、該輸血管あるいは穿刺針を保持する保持部、及び該保持部を固定するための固定部からなる輸血管あるいは穿刺針の固定具。
【請求項２】
さらに、該保持部と該固定部を連結する結合部を有する請求項１に記載の輸血管あるいは穿刺針の固定具。
【請求項３】
該保持部が、輸血管あるいは穿刺針を挟持する挟持手段である請求項１または２に記載の輸血管あるいは穿刺針の固定具。
【請求項４】
該挟持手段が、コイル状手段、クリップ状手段、または溝状手段である請求項３に記載の輸血管あるいは穿刺針の固定具。
【請求項５】
該固定部が、挟持手段または貼付手段によるものである請求項１または２に記載の輸血管あるいは穿刺針の固定具。
【請求項６】
該挟持手段が、クリップまたは把持具である請求項５に記載の輸血管あるいは穿刺針の固定具。
【請求項７】
該貼付手段が、マジックテープまたは両面テープである請求項５に記載の輸血管あるいは穿刺針の固定具。
【請求項８】
該連結部が、屈曲可能である請求項２に記載の輸血管あるいは穿刺針の固定具。
【発明の詳細な説明】
【技術分野】
【０００１】
本発明は在宅血液透析実施時に使用する輸血管あるいは穿刺針の固定具に関する。
【背景技術】
【０００２】
病院等の施設において血液透析を行う際には、看護師、技師等の医療行為の専門家が透析装置の準備、穿針、透析器と血液回路（輸血管）の接続、抜針を実施している。また、透析前後や透析中に何らかのトラブルが発生した場合には、同施設内の他の介助者に助けてもらうことができる。
【０００３】
これに対して、患者が在宅で血液透析を行う場合は、主に患者の家族あるいはヘルパーが介助者となる。その場合、介助者は通常1人であるので、穿針、透析器と血液回路の接続、抜針を行う際には、介助者の両手と、患者の片手（針を刺さないほうの手）により、各操作を行っている。
【０００４】
この場合、装置が順調に作動し、かつ各作業を予定通り的確に処理できている場合は、介助者の両手と患者の片手による操作で間に合う。しかしながら、何らかのトラブルが発生した場合には、介助者か患者のいずれかがトラブルに対応するのは難しいという問題がある。
【０００５】
特に、清潔な状態を維持する必要がある血液回路の接続部分を手に持っている場合には、その手を離せば当該接続部分が汚染されるため、手を離すことができず、トラブルに対応するのはほとんど不可能であった。
【０００６】
また、従来透析装置に各種回路の保持具が備え付けられているが、これらは透析装置の回路を整理し、回路を定位置に保持するためのものであり、患者や介助者の補助としての役割を果たせる可動性のものは存在しなかった。
【０００７】
さらに、透析終了後血液回路中の排液をバケツに移す際にチューブとバケツとを固定するための排液チューブの固定具が開示されている（例えば特許文献１。）。しかし、かかる固定具は、吸盤によりバケツに取付け、排液チューブを固定してチューブからの廃液をバケツ内に移すための器具であり、バケツ以外への適用は不可能である。そして、ここで固定される排液チューブは、使用後廃棄するものであるので、固定具により挟持される際に多少変形したり、傷ついたりしても問題はなく、一度固定された排液チューブをその後透析に使用することは全く想定していない。
【特許文献１】実開昭５９−８５２３４号公報
【発明の開示】
【発明が解決しようとする課題】
【０００８】
本発明の目的は、透析を行う場合に、患者や介助者の補助としての役割を果たすことができる、可動式の、輸血管あるいは穿刺針の固定具を提供することである。
【０００９】
さらに本発明の目的は、輸血管あるいは穿刺針の形状や品質に影響を与えずに固定するための固定具を提供するものである。
【課題を解決するための手段】
【００１０】
すなわち本発明は、血液透析装置の血液回路の保持具であって、血液回路を保持する保持部、及び該保持具を他の箇所へ固定するための固定部からなる血液回路の保持具である。
【発明の効果】
【００１１】
本発明により、透析を行う場合に、患者や介助者の補助的な役割を果たす保持具を提供することが可能となる。すなわち本発明により、より安全でより容易に透析を行うことが可能となり、特に、患者と非専門的な介助者とで行う在宅透析において、より安全な透析を行うことが可能となる。
【発明を実施するための最良の形態】
【００１２】
本発明の固定具は、血液透析装置の血液回路の一部である輸血管あるいは穿刺針を固定するための可動式の固定具であり、血液回路を保持する保持部、及び該保持具を他の箇所へ固定するための固定部からなる（第１の態様）。
【００１３】
本発明の輸血管あるいは穿刺針を保持する保持部は、透析に使用する前の輸血管あるいは穿刺針を保持する場合を考慮し、輸血管あるいは穿刺針を固定具から取り外した後も、輸血管あるいは穿刺針の形状や品質に影響が出ないようにする構造、素材とする必要がある。
【００１４】
また、本発明の固定具は、介助者や患者の補助的な役割を果たすため、輸血管あるいは穿刺針を保持部に、簡単にセットできることが重要である。例えば、輸血管あるいは穿刺針を該保持部に保持させる際、輸血管あるいは穿刺針を該保持部にあてがっただけで保持されるのが理想的である。したがって、手で該保持部を押さえたり、輸血管あるいは穿刺針を該保持部に押し付けたりする必要がないことが好ましい。
【００１５】
そのような保持部の構成としては、輸血管あるいは穿刺針を挟持する挟持手段を挙げることができる。
【００１６】
また、該挟持手段は、輸血管あるいは穿刺針を挟持して保持できる手段であれば、特に制限されない。具体的には例えば、コイル状手段、クリップ状手段、または溝状手段を好ましいものとして挙げることができる。
【００１７】
該溝状手段とは、例えば、ウレタン等からなる立方体状あるいは直方体状の部材の、一表面上に、互いに平行な複数の溝を施したようなものを意味する。図３及び図４に、該溝状手段を用いた本発明の保持具の例を示す。
【００１８】
また、該保持部の素材としては、輸血管あるいは穿刺針を保持している間に輸血管あるいは穿刺針が滑り落ちたり、傷ついたり、あるいは変質しない素材であれば特に限定されない。具体的には例えば、ウレタン、ゴム等の弾性材料、プラスチック、金属、ビニール、シリコン、スポンジなどを好ましいものとしてあげることができる。
【００１９】
本発明の固定部とは、本発明の固定具を所望の箇所に取り付けることを可能にし、該固定具の可動性を実現するものである。
【００２０】
上記所望の箇所は、該固定部により該固定具を固定可能な箇所であればどこでもよい。具体的には例えば、透析装置、ベット、イス、テーブル、机、クランプ、点滴スタンド、または電気スタンドなどを挙げることができる。
【００２１】
また、本発明の固定部としては、挟持手段または貼付手段を挙げることができる。該挟持手段とは、該固定部が上記所望の箇所を挟持できる構造を有するものであればよい。具体的には例えば、クリップや把持具などを挙げることができる。
【００２２】
該把持具とは、可動式卓上電気スタンドを、机に取り付ける際に用いられるような、机を挟み込んで、ボルトとナットにより机に固定する器具のようなものを意味する。
【００２３】
該貼付手段とは、本発明の固定具を上記所望の箇所に固定する場合に、当該所望の箇所に、該固定具を貼り付けることにより固定する手段をいう。具体的には例えば、マジックテープ等の両ファスナーまたは両面テープなどを挙げることができる。
【００２４】
さらに、本発明の固定具は、該保持部と該固定部とを連結する結合部を有してもよい（第二の態様）。該連結部により、より便利な場所に、本発明の固定具を取り付けて、より便利な位置で使用することが可能となる。
【００２５】
該連結部は屈曲可能であってもよく、そのような連結部としては例えば、可動式卓上電気スタンドのアーム部分のように、くの字に屈曲可能なものを挙げることができる。
【００２６】
上記の連結部を有しない態様（第一の態様）の本発明の固定具は、可動式卓上電気スタンドに直接取り付けることにより使用することも可能である。
【００２７】
本発明の固定具は、該固定部と該保持部とを、あるいは該固定部と該結合部と該保持部とを従来公知の方法により一体化させることにより製造可能である。
【００２８】
また、本発明の固定具は、在宅での透析のみならず、通常の施設における透析の際にも適用可能であることはいうまでもない。
【００２９】
さらに、本発明の固定具は、透析終了後の抜針の際にも使用することができる。抜針の際に使用する場合は、抜針前に穿針部位近傍に該固定具を固定して輸血管（血液チューブ）あるいは穿刺針を該保持部にセットした後、針が刺さっている腕等の体の部位を、刺さっている針の先端方向にほぼ平行に移動する。このとき針は動かないので、腕等の体の部位から針が抜ける。
【実施例１】
【００３０】
本発明の固定具の実施例を、図１を参照しながら以下詳細に説明する。
クリップからなる固定部１の片側部分の外側の面１ａに、保持部２を取り付け、本発明の固定具６を作成した。該保持部２は、血液チューブ３を挟持して保持するためのコイル状金具２ｂの両端を円形金具２ａに固定して作成した。さらに該円形金具２ａを該クリップ１の片側部分の外側の面１ａに固定することにより、固定部２が保持部となるクリップ１に固定されている。
【００３１】
つづいて、該固定部１で机４の端部を挟持して本発明の固定具６を固定し、血液透析用の輸血管３を、該コイル２ｂに軽くあてがうようにしながら固定した。固定された状態において、該輸血管３の先端部分の接続部分３ａ，３ｂは、宙に浮いており、清潔な状態を維持していた。
【図面の簡単な説明】
【００３２】
【図１】第一の態様の一例である。
【図２】第一の態様の一例である。固定部となるクリップの片側部分の外側の面１ａに、保持部２を取り付けてある。
【図３】第一の態様の一例である。固定部となるクリップの片側部分の外側の面１ａに、スポンジ状部材からなり並行な溝を施した保持部２を接着手段により取り付けてある。
【図４】第二の態様の一例である。スポンジ状部材からなり、並行な溝を施した保持部２を、くの字に屈曲可能な結合部５に取り付け、さらに該結合部５の、該保持部２を取り付けた反対側の端部に、固定部１を取り付けてある。
【符号の説明】
【００３３】
１．固定部
１ａ．クリップの片側部分の外側の面
２．保持部
２ａ．円形金具
２ｂ．コイル状金具
３．輸血管
４．机
５．結合部
６．本発明の固定具
【図１】
2005218605.tif 000003
【図２】
2005218605.tif 000004
【図３】
2005218605.tif 000005
【図４】
2005218605.tif 000006